(57)【特許請求の範囲】
【請求項１】
車両幅方向を長手方向として配置されたバンパリインフォースメントの車両前後方向外側面に隣接して配置されると共に、車両幅方向を長手方向とした長尺状に形成されたチャンバ部材によって構成され、変形することで出力が変化するセンサ部材と、
前記チャンバ部材の長手方向中間部を構成し、長手方向両端部が前記バンパリインフォースメントの車両幅方向両端部における車両前後方向外側の角部に対して車幅方向外側へ突出され且つ当該角部の車両前後方向外側に隣接して配置されたチャンバ本体部と、
前記センサ部材によって出力された信号に基づいて歩行者と衝突したか否かを判定する衝突判定部と、
前記センサ部材の車両前後方向外側に車両幅方向を長手方向として配置されたバンパカバーと、
前記チャンバ部材の長手方向両端部を構成し、前記チャンバ本体部の長手方向両端部における車両前後方向内側部分から車両幅方向外側へ延出されると共に、衝突時に車両前後方向内側へ変形する前記バンパカバーによって押圧されることで前記チャンバ本体部の車両幅方向外側部分を車両前後方向内側へ曲げ変形させる延在部と、
を有する歩行者衝突検出装置を備えた車両用バンパ構造。
【請求項２】
車両幅方向を長手方向として配置されたバンパリインフォースメントの車両前後方向外側面に隣接して配置され、車両幅方向を長手方向とした長尺状に形成された圧力チューブ又は光ファイバセンサによって構成されると共に、長手方向両端部が前記バンパリインフォースメントに対して車両幅方向外側へ突出され、変形することで出力が変化するセンサ部材と、
前記センサ部材によって出力された信号に基づいて歩行者と衝突したか否かを判定する衝突判定部と、
前記センサ部材の車両前後方向外側に車両幅方向を長手方向として配置されたバンパカバーと、
前記バンパリインフォースメントの車両幅方向外側において車両幅方向に延在され、前記センサ部材の長手方向両端部に対して車両前後方向内側に隣接して配置されると共に、車両幅方向内側端部が前記バンパリインフォースメントの車両前後方向外側面に固定され、衝突時に車両前後方向内側へ変形する前記バンパカバーによって押圧されることで前記センサ部材の車両幅方向外側部分を車両前後方向内側へ曲げ変形させる延在部と、
を有する歩行者衝突検出装置を備えた車両用バンパ構造。
【請求項３】
前記延在部は、平面視で車両幅方向外側かつ車両前後方向内側に傾斜された請求項１又は請求項２に記載の歩行者衝突検出装置を備えた車両用バンパ構造。
【請求項４】
前記延在部は、板状に形成されると共に、平面視で前記延在部の延在方向に対して直交する方向を板厚方向にして配置された請求項１〜請求項３の何れか１項に記載の歩行者衝突検出装置を備えた車両用バンパ構造。
【請求項５】
前記延在部の板厚寸法が車両幅方向外側へ向かうに従い厚くなるように設定された請求項４に記載の歩行者衝突検出装置を備えた車両用バンパ構造。
【発明の詳細な説明】
【技術分野】
【０００１】
本発明は、歩行者衝突検出装置を備えた車両用バンパ構造に関する。
【背景技術】
【０００２】
下記特許文献１に記載された歩行者衝突検出装置を備えた車両用バンパでは、チャンバ部材の車両幅方向外側の端末部が、バンパリインフォースメントの車両幅方向外側の端面を覆うように回り込んでいる。また、バンパカバーの裏面には、チャンバ部材の上記端末部に対応する部位において、スペーサが配設されている。これにより、バンパカバー（車両）のコーナー部が歩行者等の衝突体と衝突した場合には、チャンバ部材の上記端末部が、バンパリインフォースメントとスペーサとによって押し潰される（圧縮変形する）。したがって、車両のコーナー部における歩行者検出性能を向上できる。なお、歩行者衝突検出装置として、下記特許文献２〜特許文献６に記載されたものがある。
【先行技術文献】
【特許文献】
【０００３】
【特許文献１】国際公開第２０１１／１２８９７１号
【特許文献２】特開２０００−２６４１４２号公報
【特許文献３】特開２０１０−２４７７５５号公報
【特許文献４】特開２０１０−２８５１４２号公報
【特許文献５】特開２００７−２１６８０４号公報
【特許文献６】特開２００９−０４０４２３号公報
【発明の概要】
【発明が解決しようとする課題】
【０００４】
しかしながら、上記歩行者衝突検出装置を備えた車両用バンパでは、上述したように、バンパカバーの裏面にスペーサが配設されており、バンパカバーに車両後方側への荷重が入力されると、スペーサがチャンバ部材を車両幅方向内側へ押圧するように構成されている。このため、バンパカバーのコーナー部におけるバンパリインフォースメントとバンパカバーとの間に、チャンバ部材の端末部及びスペーサを配置するスペースを確保する必要がある。一方、意匠上、バンパカバーのコーナー部における車両幅方向に対する傾斜が大きくなると、バンパリインフォースメントとバンパカバーとの間にチャンバ部材の端末部及びスペーサを配置できない可能性がある。したがって、バンパカバーのコーナー部では、スペース効率の良いバンパ構造にすることが望ましい。
【０００５】
本発明は、上記事実を考慮し、スペース効率の良いバンパ構造を実現できる歩行者衝突検出装置を備えた車両用バンパ構造を提供することを目的とする。
【課題を解決するための手段】
【０００６】
請求項１に記載の歩行者衝突検出装置を備えた車両用バンパ構造は、車両幅方向を長手方向として配置されたバンパリインフォースメントの車両前後方向外側面に隣接して配置されると共に、車両幅方向を長手方向とした長尺状に形成されたチャンバ部材によって構成され、変形することで出力が変化するセンサ部材と、前記チャンバ部材の長手方向中間部を構成し、長手方向両端部が前記バンパリインフォースメントの車両幅方向両端部における車両前後方向外側の角部に対して車幅方向外側へ突出され且つ当該角部の車両前後方向外側に隣接して配置されたチャンバ本体部と、前記センサ部材によって出力された信号に基づいて歩行者と衝突したか否かを判定する衝突判定部と、前記センサ部材の車両前後方向外側に車両幅方向を長手方向として配置されたバンパカバーと、前記チャンバ部材の長手方向両端部を構成し、前記チャンバ本体部の長手方向両端部における車両前後方向内側部分から車両幅方向外側へ延出されると共に、衝突時に車両前後方向内側へ変形する前記バンパカバーによって押圧されることで前記チャンバ本体部の車両幅方向外側部分を車両前後方向内側へ曲げ変形させる延在部と、を有している。
また、請求項２に記載の歩行者衝突検出装置を備えた車両用バンパ構造は、車両幅方向を長手方向として配置されたバンパリインフォースメントの車両前後方向外側面に隣接して配置され、車両幅方向を長手方向とした長尺状に形成された圧力チューブ又は光ファイバセンサによって構成されると共に、長手方向両端部が前記バンパリインフォースメントに対して車両幅方向外側へ突出され、変形することで出力が変化するセンサ部材と、前記センサ部材によって出力された信号に基づいて歩行者と衝突したか否かを判定する衝突判定部と、前記センサ部材の車両前後方向外側に車両幅方向を長手方向として配置されたバンパカバーと、前記バンパリインフォースメントの車両幅方向外側において車両幅方向に延在され、前記センサ部材の長手方向両端部に対して車両前後方向内側に隣接して配置されると共に、車両幅方向内側端部が前記バンパリインフォースメントの車両前後方向外側面に固定され、衝突時に車両前後方向内側へ変形する前記バンパカバーによって押圧されることで前記センサ部材の車両幅方向外側部分を車両前後方向内側へ曲げ変形させる延在部と、を有している。
【０００７】
請求項１に記載の歩行者衝突検出装置を備えた車両用バンパでは、バンパリインフォースメントが車両幅方向を長手方向として配置されている。また、バンパリインフォースメントの車両前後方向外側面（車両前部に設けられたバンパリインフォースメントに対しては車両前側の面、車両後部に設けられたバンパリインフォースメントに対しては車両後側の面）に隣接してセンサ部材が設けられている。このセンサ部材は車両幅方向を長手方向とした長尺状に形成されたチャンバ部材によって構成されている。また、チャンバ部材の長手方向中間部は、チャンバ本体部によって構成されている。そして、チャンバ本体部の長手方向両端部が、バンパリインフォースメントの車両幅方向両端部における車両前後方向外側の角部に対して車幅方向外側へ突出され、且つ当該角部の車両前後方向外側に隣接して配置されている。また、センサ部材の車両前後方向外側にはバンパカバーが設けられている。
【０００８】
ここで、チャンバ部材の長手方向両端部が延在部によって構成されており、延在部は、チャンバ本体部の長手方向両端部における車両前後方向内側部分から車両幅方向外側へ延出されている。そして、バンパカバーの車両幅方向外側部分が歩行者（の脚部）に衝突すると、バンパカバーの車両幅方向外側部分が、車両前後方向内側へ変形して、延在部を車両前後方向内側へ押圧する。これにより、延在部によってチャンバ本体部の車両幅方向外側部分が車両前後方向内側へ曲げ変形する。その結果、衝突判定部へ出力される信号が変化して、車両が歩行者と衝突したか否かを衝突判定部によって判定される。
また、請求項２に記載の歩行者衝突検出装置を備えた車両用バンパでは、バンパリインフォースメントの車両前後方向外側面に隣接するセンサ部材が、車両幅方向を長手方向とした長尺状に形成された圧力チューブ又は光ファイバセンサによって構成されており、センサ部材の長手方向両端部がバンパリインフォースメントに対して車両幅方向外側へ突出されている。
ここで、延在部が、バンパリインフォースメントの車両幅方向外側において車両幅方向に延在されると共に、センサ部材の長手方向両端部に対して車両前後方向内側に隣接して配置されている。また、延在部の車両幅方向内側端部が、バンパリインフォースメントの車両前後方向外側面に固定されている。そして、バンパカバーの車両幅方向外側部分が歩行者（の脚部）に衝突すると、バンパカバーの車両幅方向外側部分が、車両前後方向内側へ変形して、延在部を車両前後方向内側へ押圧する。これにより、延在部によってセンサ部材の車両幅方向外側部分が車両前後方向内側へ曲げ変形する。その結果、衝突判定部へ出力される信号が変化して、車両が歩行者と衝突したか否かを衝突判定部によって判定される。
【０００９】
このように、請求項１及び請求項２に記載の発明によれば、バンパカバーの車両幅方向外側部分における歩行者とバンパカバーとの衝突では、延在部よってセンサ部材の車両幅方向外側部分を曲げ変形させて、車両が歩行者と衝突したか否かを判定できる。このため、従来技術のように、センサ部材を圧縮変形させるためのスペーサをバンパカバーの裏面に配置する必要がなくなる。したがって、歩行者衝突検出装置を備えた車両用バンパ構造において、スペース効率の良いバンパ構造を実現できる。
【００１０】
請求項３に記載の歩行者衝突検出装置を備えた車両用バンパ構造は、請求項１又は請求項２に記載の発明において、前記延在部は、平面視で車両幅方向外側かつ車両前後方向内側に傾斜されている。
【００１１】
請求項３に記載の歩行者衝突検出装置を備えた車両用バンパ構造では、例えばバンパカバー車両幅方向外側部分が車両前後方向内側に曲げられている車両に対応して延在部を配設できる。
【００１２】
請求項４に記載の歩行者衝突検出装置を備えた車両用バンパ構造は、請求項１〜請求項３の何れか１項に記載の発明において、前記延在部は、板状に形成されると共に、平面視で前記延在部の延在方向に対して直交する方向を板厚方向にして配置されている。
【００１３】
請求項４に記載の歩行者衝突検出装置を備えた車両用バンパ構造では、延在部が平面視で延在方向に対して直交する方向を板厚方向にした板状に形成されているため、延在部の剛性を比較的高く設定できると共に、延在部の設置スペースを小さくできる。
【００１４】
請求項５に記載の歩行者衝突検出装置を備えた車両用バンパ構造は、請求項４に記載の発明において、前記延在部の板厚寸法が車両幅方向外側へ向かうに従い厚くなるように設定されている。
【００１５】
請求項５に記載の歩行者衝突検出装置を備えた車両用バンパ構造では、延在部の板厚寸法が車両幅方向外側へ向かうに従い厚くなるように設定されている。これにより、延在部の車両幅方向外側端部がバンパカバーによって車両前後方向内側へ押圧された場合でも、延在部によってセンサ部材の車両幅方向外側部分を車両前後方向内側へ良好に曲げ変形させることができる。
【発明の効果】
【００１８】
請求項１及び請求項２に記載の歩行者衝突検出装置を備えた車両用バンパ構造によれば、スペース効率の良いバンパ構造を実現できる。
【００１９】
請求項３に記載の歩行者衝突検出装置を備えた車両用バンパ構造によれば、例えばバンパカバーの車両幅方向外側部分に対応して延在部を配設できる。
【００２０】
請求項４に記載の歩行者衝突検出装置を備えた車両用バンパ構造によれば、延在部の剛性を比較的高く設定できると共に、延在部の設置スペースを小さくできる。
【００２１】
請求項５に記載の歩行者衝突検出装置を備えた車両用バンパ構造によれば、延在部の車両幅方向外側端部がバンパカバーによって車両前後方向内側へ押圧された場合でも、延在部によってセンサ部材の車両幅方向外側部分を車両前後方向内側へ良好に曲げ変形させることができる。
【００２２】
請求項５に記載の歩行者衝突検出装置を備えた車両用バンパ構造によれば、チャンバ部材を備えた車両において簡易な構成で延在部を設けることができる。
【図面の簡単な説明】
【００２３】
【図１】第１の実施の形態に係る衝突判定システムを備えた車両用バンパ構造が適用されたフロントバンパの全体を模式的に示す一部破断した平面図である。
【図２】図１に示されるフロントバンパの車両幅方向中央部を拡大した側断面図（図１の２−２線断面図）である。
【図３】図１に示されるフロントバンパの車両幅方向外側部分を拡大した側断面図（図１の３−３線断面図）である。
【図４】図１に示されるバンパカバーのコーナー部が歩行者に衝突した状態を模式的に示す一部破断した平断面図である。
【図５】第１の実施の形態における延在部のバリエーションを模式的に示す一部破断した図１に対応する平断面図である。
【図６】第２の実施の形態に係る衝突判定システムを備えた車両用バンパ構造が適用されたフロントバンパのコーナー部を模式的に示す一部破断した平面図である。
【図７】図６に示される圧力チューブの車両幅方向外側部分を拡大した側断面図（図６の７−７線断面図）である。
【図８】第３の実施の形態に係る衝突判定システムを備えた車両用バンパ構造が適用されたフロントバンパのコーナー部を模式的に示す一部破断した図６に対応する平面図である。
【発明を実施するための形態】
【００２４】
（第１の実施の形態）
【００２５】
以下、図１〜図４を用いて、第１の実施の形態に係る衝突判定システム１０を備えた車両用バンパ構造Ｓ１が適用されたフロントバンパ１２について説明する。なお、衝突判定システム１０が本発明の歩行者衝突検出装置に対応している。また、図面において適宜示される矢印ＦＲは車両前側を示し、矢印ＬＨは車両左側（車両幅方向一側）を示し、矢印ＵＰは車両上側を示している。
【００２６】
図１に示されるように、フロントバンパ１２は、車両（自動車）の前端に配置されており、フロントバンパ１２への衝突（の有無）を衝突判定システム１０によって判別するようになっている。以下、具体的に説明する。
【００２７】
フロントバンパ１２は、バンパ骨格部材であるバンパリインフォースメント（以下、「バンパＲ／Ｆ」と称する）１４を備えている。このバンパＲ／Ｆ１４は、例えば鉄系やアルミ系等の金属材料により製作されて、車両幅方向を長手方向として配置された骨格部材として構成されている。また、バンパＲ／Ｆ１４は、車体側の骨格部材を構成する左右一対のフロントサイドメンバ１６の前端間を架け渡して車体に対し支持されている。さらに、バンパＲ／Ｆ１４の車両幅方向両側部分は、フロントサイドメンバ１６に対して車両幅方向外側へ僅かに突出されており、バンパＲ／Ｆ１４の車両幅方向両端部における車両前方側の角部１４Ａには、平面視で角Ｒが形成されている。
【００２８】
バンパＲ／Ｆ１４の車両前後方向外側すなわち車両前側には、樹脂材により構成された「センサ部材」としてのチャンバ部材２０が設けられており、チャンバ部材２０は、車両幅方向を長手方向とした長尺状に形成されている。このチャンバ部材２０は、チャンバ本体部２２と、チャンバ部材２０の長手方向両側部分を構成する延在部２４と、を含んで構成されている。
【００２９】
図２にも示されるように、チャンバ本体部２２は、車両幅方向を長手方向とした中空構造体として構成されており、チャンバ本体部２２の内部空間が圧力チャンバ２６とされている。また、チャンバ本体部２２はバンパＲ／Ｆ１４の前面１４Ｂ（車両前後方向外側面）に固定的に取付けられており、チャンバ本体部２２の長手方向両端部が、バンパＲ／Ｆ１４に対して車両幅方向外側へ突出されている。
【００３０】
また、チャンバ部材２０は、チャンバ本体部２２においてバンパＲ／Ｆ１４に固定的に取付けられた状態で、その形状を維持可能な剛性を有しており、チャンバ本体部２２には、図示しない位置に大気と連通された連通孔を有している。したがって、通常（静的には）、圧力チャンバ２６内は大気圧とされている。そして、チャンバ部材２０は、車両前側から比較的低い圧縮荷重を受けて上記連通孔から空気を逃がしながら潰れて、圧力チャンバ２６の内圧を動的に変化させながら圧力チャンバ２６の体積が減じられるようになっている。
【００３１】
また、チャンバ部材２０では、チャンバ部材２０をブロー成形等によって中空構造体に形成した後に、圧縮成形等によりチャンバ部材２０の車両幅方向両側部分が車両前方側から押し潰されて板状に成形されている。そして、この板状に形成された部分が、延在部２４とされている。すなわち、延在部２４は、チャンバ本体部２２の長手方向両端部における後部から車両幅方向外側へ延びている。また、延在部２４は、バンパＲ／Ｆ１４の車両幅方向外側において車両幅方向に延在されると共に、平面視で車両幅方向外側へ向かうに従い車両後方側へ傾斜して配置されている。また、延在部２４は、平面視で延在部２４の延在方向に対して直交する方向を板厚方向にして配置されており（図３参照）、延在部２４における板厚寸法は一定に設定されている。
【００３２】
さらに、車両前後方向内側すなわち車両後方側への荷重が延在部２４に作用した場合には、チャンバ本体部２２の車両幅方向外側部分がバンパＲ／Ｆ１４の角部１４Ａとの接触部位を起点として車両後方側へ曲げ変形するように、延在部２４の剛性が確保されている。
【００３３】
一方、図２に示されるように、チャンバ部材２０には、圧力センサ２８（広義には、「検出器」として把握される要素である）が設けられており、圧力センサ２８は、「衝突判定部」としてのＥＣＵ３０に電気的に接続されている。そして、圧力センサ２８は圧力チャンバ２６の圧力に応じた信号をＥＣＵ３０に出力する。これにより、本発明の「センサ部材」とは、チャンバ部材２０と圧力センサ２８とを含んだものとされている。
【００３４】
ＥＣＵ３０は、圧力センサ２８の出力信号に基づいて、衝突荷重を算出するようになっている。また、ＥＣＵ３０には、衝突速度センサ（図示省略）が電気的に接続されている。この衝突速度センサは、衝突体との衝突速度に応じた信号をＥＣＵ３０に出力して、ＥＣＵ３０が、衝突速度センサの出力信号に基づいて、衝突速度を算出するようになっている。そして、ＥＣＵ３０は、算出された衝突荷重及び衝突速度から衝突体の有効質量を求めると共に、有効質量が閾値を超えるか否かを判断して、フロントバンパ１２への衝突体が歩行者であるのか歩行者以外（例えば、ロードサイドマーカーやポストコーン等）であるのかを判定するようになっている。
【００３５】
また、バンパＲ／Ｆ１４の車両前側には、チャンバ部材２０におけるチャンバ本体部２２の車両下側において、アブソーバ３２が設けられている。このアブソーバ３２は、発泡樹脂材すなわちウレタンフォーム等によって構成されている。また、アブソーバ３２は、車両幅方向を長手方向とした長尺状に形成されると共に、側断面視で略矩形状に形成されている。そして、アブソーバ３２は、平面視でバンパＲ／Ｆ１４に沿うように配置されて、その後端部において、バンパＲ／Ｆ１４の前面１４Ｂに固定（接触）されている。
【００３６】
さらに、フロントバンパ１２は、樹脂材等によって構成されたバンパカバー３４を備えている。このバンパカバー３４は、チャンバ部材２０及びアブソーバ３２の車両前側において両者と対向するように配置されて、図示しない部分で車体に対し固定的に支持されている。また、バンパカバー３４の車両幅方向両側部分は、平面視で車両幅方向外側へ向かうに従って車両後側へ湾曲されており、バンパカバー３４の車両幅方向両側部の車両後方側に、前述したチャンバ部材２０の延在部２４が配置されている。
【００３７】
次に、本実施の形態における作用及び効果について説明する。
【００３８】
上記のように構成されたフロントバンパ１２では、バンパカバー３４が、車両幅方向中間部において歩行者（の脚部）と衝突すると、バンパカバー３４が、チャンバ部材２０側へ変形して、チャンバ部材２０のチャンバ本体部２２を押圧する。これにより、チャンバ本体部２２が車両前後方向に圧縮変形すると共に、圧力チャンバ２６の圧力が変化する。
【００３９】
そして、圧力センサ２８が圧力チャンバ２６の圧力変化に応じた信号をＥＣＵ３０に出力して、ＥＣＵ３０が圧力センサ２８の出力信号に基づいて衝突荷重を算出する。また、ＥＣＵ３０は衝突速度センサの出力信号に基づいて衝突速度を算出する。これにより、ＥＣＵ３０が、算出された衝突荷重及び衝突速度から衝突体の有効質量を求めると共に、有効質量が閾値を超えるか否かを判断して、フロントバンパ１２への衝突体が歩行者であるのか否かを判定する。
【００４０】
ここで、本実施の形態では、チャンバ部材２０に延在部２４が設けられており、延在部２４は、バンパＲ／Ｆ１４の車両幅方向外側において、車両幅方向に延在されている。そして、車両のコーナー部（バンパカバー３４の車両幅方向外側部分）が歩行者（の脚部）に衝突すると、バンパカバー３４の車両幅方向外側部分が、車両後方側へ変形して、延在部２４を車両後方側へ押圧する。これにより、図４に示されるように、延在部２４が車両後方側へ変位して、チャンバ本体部２２の車両幅方向外側部分がバンパＲ／Ｆ１４の角部１４Ａとの接触部位を起点として車両後方側へ曲げ変形する。その結果、圧力チャンバ２６の圧力が変化して、上述と同様に、フロントバンパ１２への衝突体が歩行者であるのか否かをＥＣＵ３０が判定する。
【００４１】
このように、車両のコーナー部における歩行者とバンパカバー３４との衝突では、延在部２４によってチャンバ部材２０（チャンバ本体部２２）の車両幅方向外側部分を曲げ変形させて、車両が歩行者と衝突したか否かを判定できる。このため、従来技術のように、チャンバ部材２０を圧縮変形させるためのスペーサをバンパカバー３４の裏面に配置する必要がなくなる。したがって、衝突判定システム１０を備えた車両用バンパ構造Ｓ１において、スペース効率の良いバンパ構造を実現できる。
【００４２】
また、延在部２４は、平面視で車両幅方向外側かつ車両後方側へ向けて傾斜されている。このため、バンパカバー３４のコーナー部（車両幅方向外側部分）に対応して延在部２４を配設できる。
【００４３】
さらに、延在部２４は、平面視で延在部２４の延在方向に対して直交する方向を板厚方向にした板状に形成されている。このため、延在部２４の剛性を比較的高く設定できると共に、平面視における延在部２４の設置スペースを小さくできる。
【００４４】
さらに、延在部２４はチャンバ部材２０に一体に設けられている。これにより、チャンバ部材２０を備えた車両に対して、簡易な構成で延在部２４をチャンバ部材２０に設けることができる。
【００４５】
また、バンパＲ／Ｆ１４の角部１４Ａには、平面視で角Ｒが形成されている。このため、例えば角Ｒの半径を適宜変更することで、チャンバ部材２０が曲げ変形する際の曲げ変形荷重を調節できる。また、バンパＲ／Ｆ１４の角部１４Ａに角Ｒが形成されていることで、チャンバ部材２０に対する傷つきを防止又は抑制できる。
【００４６】
なお、第１の実施の形態では、延在部２４がチャンバ部材２０（チャンバ本体部２２）と一体に設けられている。これに代えて、延在部２４をチャンバ部材２０（チャンバ本体部２２）と別体に構成して、延在部２４をチャンバ部材２０（チャンバ本体部２２）に取付けるように構成してもよい。
【００４７】
（第１の実施の形態のバリエーション）
【００４８】
図５を用いて、第１の実施の形態のフロントバンパ１２のバリエーションを説明する。このバリエーションでは、第１の実施の形態に対して、延在部２４の形状及び延在部２４の板厚寸法が変更されている。
【００４９】
すなわち、平面視で延在部２４の長手方向中間部が車両前方側へ凸となるように屈曲されている。このため、延在部２４の車両幅方向外側部分をバンパカバー３４に沿うように配置できる。
【００５０】
また、延在部２４の板厚寸法が、車両幅方向外側へ向かうに従い厚くなるように設定されている。これにより、バンパカバー３４によって延在部２４の車両幅方向外側端部が車両後方側へ押圧された場合でも、延在部２４によってチャンバ本体部２２の車両幅方向外側部分を良好に曲げ変形させることができる。この点について、下記の比較例と比較しつつ説明する。
【００５１】
比較例では、延在部２４の板厚寸法が車両幅方向外側へ向かうに従い薄く設定されている。すなわち、延在部２４の車両幅方向内側の板厚寸法ｔ１よりも延在部２４の車両幅方向外側の板厚寸法ｔ２が薄く設定されている。このため、比較例では、延在部２４の車両幅方向外側部分が曲がり易くなる。これにより、延在部２４の車両幅方向外側端部が車両後方側へ押圧された場合には、延在部２４の車両幅方向外側部分における曲げ変形量は大きくなるが、延在部２４の車両幅方向内側部分における曲げ変形量は小さくなる。その結果、比較例では、チャンバ部材２０（チャンバ本体部２２）の車両幅方向外側部分を良好に曲げ変形させることができなくなる可能性がある。
【００５２】
これに対して、本バリエーションでは、延在部２４の板厚寸法が、車両幅方向外側へ向かうに従い厚くなるように設定されている。すなわち、延在部２４の車両幅方向内側の板厚寸法ｔ１よりも延在部２４の車両幅方向外側の板厚寸法ｔ２が厚く設定されている。このため、延在部２４の曲げ剛性を比較的高くしつつ、延在部２４の車両幅方向内側部分を曲げ易く構成できる。これにより、延在部２４の車両幅方向外側端部が車両後方側へ押圧された場合には、上記比較例と比べて、延在部２４の車両幅方向内側部分における曲げ変形量が大きくなるため、チャンバ部材２０（チャンバ本体部２２）の車両幅方向外側部分を良好に曲げ変形させることができる。
【００５３】
（第２の実施の形態）
【００５４】
以下、図６及び図７を用いて第２の実施の形態に係る衝突判定システム１００を備えた車両用バンパ構造Ｓ２が適用されたフロントバンパ１０２について説明する。フロントバンパ１０２では、以下に示す点を除いて、第１の実施の形態のフロントバンパ１２と同様に構成されている。
【００５５】
すなわち、第２の実施の形態では、第１の実施の形態のチャンバ部材２０の代わりに、略長尺状の「センサ部材」としての圧力チューブ１０４が設けられている。圧力チューブ１０４は、長手方向を車両幅方向にして、バンパＲ／Ｆ１４の上部（上半分の部分）における前面１４Ｂに固定されている。圧力チューブ１０４は、断面略円環状の中空構造体として構成されている。また、圧力チューブ１０４の車両幅方向外側端部は、バンパＲ／Ｆ１４の車両幅方向外側端部よりも車両幅方向外側に配置されている。そして、圧力チューブ１０４には、圧力センサ２８（図６及び図７では図示省略）が接続されており、圧力チューブ１０４が変形することで、圧力チューブ１０４内の圧力変化に応じた信号が圧力センサ２８からＥＣＵ３０へ出力されるようになっている。
【００５６】
また、アブソーバ３２が、圧力チューブ１０４を覆うように、バンパＲ／Ｆ１４の前面１４Ｂに固定されている。これにより、衝突時に車両後方側へ変形するバンパカバー３４によってアブソーバ３２が押圧されることで、圧力チューブ１０４が車両前後方向に圧縮変形するようになっている。また、アブソーバ３２の車両幅方向外側端部は、バンパＲ／Ｆ１４の車両幅方向外側端部よりも車両幅方向外側に且つ圧力チューブ１０４の車両幅方向外側端部よりも車両幅方向内側に配置されている。
【００５７】
さらに、第２の実施の形態では、延在部２４が、圧力チューブ１０４とは別体に構成されており、圧力チューブ１０４の車両幅方向外側端部が、クランプ部材１０６を介して延在部２４の車両幅方向内側端部に取付けられている。また、延在部２４の車両幅方向内側端部は、バンパＲ／Ｆ１４の車両幅方向外側端部における前面１４Ｂに固定されており、延在部２４がバンパＲ／Ｆ１４の車両幅方向外側端部から車両幅方向外側へ突出されている。これにより、延在部２４の一部が、バンパＲ／Ｆ１４に対して車両幅方向外側において車両幅方向に延在されている。さらに、延在部２４の長手方向中間部が車両前方側へ凸となるように屈曲されており、延在部２４の板厚寸法が、車両幅方向外側へ向かうに従い厚くなるように設定されている。
【００５８】
そして、車両後方側への荷重が延在部２４に作用すると、延在部２４がバンパＲ／Ｆ１４の角部１４Ａと接触する部位を起点に車両後方側へ曲げ変形して、圧力チューブ１０４の車両幅方向外側端部が車両後方側へ曲げ変形するようになっている。これにより、第２の実施の形態においても、第１の実施の形態と同様の作用及び効果を奏する。
【００５９】
（第３の実施の形態）
【００６０】
以下、図８を用いて第３の実施の形態に係る衝突判定システム２００を備えた車両用バンパ構造Ｓ３が適用されたフロントバンパ２０２について説明する。フロントバンパ２０２では、以下に示す点を除いて、第２の実施の形態のフロントバンパ１０２と同様に構成されている。
【００６１】
すなわち、第３の実施の形態では、第２の実施の形態の圧力チューブ１０４に代えて、「センサ部材」としての光ファイバセンサ２０４が設けられている。光ファイバセンサ２０４は、応力集中板２０６と、応力集中板２０６の前面に当接された光ファイバ２０８と、光ファイバ２０８及び応力集中板２０６をモールドするモールド部材２１０と、を含んで構成されている。なお、図８では、便宜上、応力集中板２０６、光ファイバ２０８、及びモールド部材２１０のハッチングを省略している。
【００６２】
応力集中板２０６の前部は平面視で凹凸状に形成されており、応力集中板２０６は、複数の凸部を有している。光ファイバ２０８は、長尺状の可撓性を有する部材として構成されると共に、その長手方向中間部において折り返されて（Ｕターンされて）、正面視で上下２段に配策されている。そして、光ファイバ２０８は、応力集中板２０６の凸部に隣接して配置されている。また、光ファイバ２０８の一端部には、光を照射する発光回路（図示省略）が設けられており、光ファイバ２０８の他端部には、発光部から発光された光を受光する受光回路（図示省略）が設けられている。これら発光回路及び受光回路は、ＥＣＵ３０（図８では図示省略）と電気的に接続されている。そして、発光回路から照射された光が、光ファイバ２０８内を伝送されて受光回路で受光された後に光電変換されると共に、光強度に応じた電気信号に変換されて、ＥＣＵ３０へ出力されるようになっている。これにより、光ファイバセンサ２０４からＥＣＵ３０へ出力される信号に基づいて、フロントバンパ１２との衝突体が歩行者であるのか否かをＥＣＵ３０が判定するようになっている。
【００６３】
また、バンパＲ／Ｆ１４の車両幅方向両端部の角部１４Ａには、突起２１２が設けられており、突起２１２は、バンパＲ／Ｆ１４から車両前方側へ突出されている。
【００６４】
延在部２４は、光ファイバセンサ２０４とは別体に構成されて、バンパＲ／Ｆ１４の車両幅方向外側において車両幅方向に延在されている。また、延在部２４の車両幅方向内側端部は、バンパＲ／Ｆ１４の車両幅方向外側端部と光ファイバセンサ２０４の車両幅方向外側端部との間に配置されて、光ファイバセンサ２０４の車両幅方向外側端部と共にクランプ部材１０６によってバンパＲ／Ｆ１４取付けられている。
【００６５】
そして、車両後方側への荷重が延在部２４に作用すると、延在部２４がバンパＲ／Ｆ１４の突起２１２と接触する部位を起点に車両後方側へ曲げ変形して、光ファイバセンサ２０４の車両幅方向外側端部が車両後方側へ曲げ変形するようになっている。これにより、第３の実施の形態においても、第２の実施の形態と同様の作用及び効果を奏する。
【００６６】
なお、第３の実施の形態では、延在部２４が、光ファイバセンサ２０４と別体で設けられている。これに代えて、光ファイバセンサ２０４の応力集中板２０６を車両幅方向外側へ延ばして、この延ばした部分を延在部２４としてもよい。この場合には、バンパＲ／Ｆ１４の突起２１２を省略して、突起２１２を応力集中板２０６に設けてもよい。
【００６７】
さらに、第２の実施の形態及び第３の実施の形態では、圧力チューブ１０４及び光ファイバセンサ２０４の車両幅方向両端部が、バンパＲ／Ｆ１４の車両幅方向両端部に対して車両幅方向外側に配置されている。これに代えて、圧力チューブ１０４及び光ファイバセンサ２０４の車両幅方向両端部をバンパＲ／Ｆ１４の車両幅方向両端部に対して車両幅方向内側に配置してもよい。すなわち、延在部２４が車両後方側へ曲げ変形する際に、圧力チューブ１０４及び光ファイバセンサ２０４の車両幅方向外側部分が車両後方側へ曲げ変形するように構成されていればよい。
【００６８】
また、第１の実施の形態及び第２の実施の形態では、平面視でバンパＲ／Ｆ１４の角部１４Ａには角Ｒが形成されているが、バンパＲ／Ｆ１４の角部１４Ａを直角に形成してもよい。
【００６９】
さらに、第１の実施の形態〜第３の実施の形態では、衝突判定システム１０，１００，２００がフロントバンパ１２,１０２，２０２に適用された例を示したが、本発明はこれに限定されず、例えば、上記各構成を前後反転してリヤバンパに適用してもよい。
【符号の説明】
【００７０】
１０      衝突判定システム（歩行者衝突検出装置）
１４      バンパリインフォースメント
２０      チャンバ部材（センサ部材）
２４      延在部
２６      圧力チャンバ
３４      バンパカバー
１００    衝突判定システム（歩行者衝突検出装置）
１０４    圧力チューブ（センサ部材）
２００    衝突判定システム（歩行者衝突検出装置）
２０４    光ファイバセンサ（センサ部材）
Ｓ１      車両用バンパ構造
Ｓ２      車両用バンパ構造
Ｓ３      車両用バンパ構造
【図１】
0005983558.tif 000002
【図２】
0005983558.tif 000003
【図３】
0005983558.tif 000004
【図４】
0005983558.tif 000005
【図５】
0005983558.tif 000006
【図６】
0005983558.tif 000007
【図７】
0005983558.tif 000008
【図８】
0005983558.tif 000009